(57)【特許請求の範囲】
【請求項１】
矩形状の底面と、
該底面のそれぞれの外周縁から起立し、不透明材料からなる不透明シート体によりなり、複数箇所に通気用メッシュ部が形成された側壁面と、
メッシュ状シート体からなり、前記側壁面のそれぞれの上端縁位置から所要高さ範囲を被覆して前記底面および前記側壁面と共に閉塞空間を形成する上側被覆部と、
互いに向かい合う位置における前記側壁面に沿ってそれぞれ起立する起立部と前記上側被覆部に沿って配設された湾曲部を有する骨組体と、
前記上側被覆部に取り付けられ、前記湾曲部に前記上側被覆部を吊り下げ保持させるための吊り下げ係合体と、を具備し、
防滴素材からなり、前記上側被覆部の頂点部分から前記側壁面のそれぞれに向けて広がると共に前記側壁面と所要幅で重複する大きさの傘状体をなし、前記傘状体の下端縁部の角部にそれぞれ母線方向に切込を入れたことにより形成された舌片を有すると共に前記吊り下げ係合体の配設位置に位置合わせしてスリットが形成された飛沫感染防止シートが着脱可能であることを特徴とする飛沫感染防止テント。
【請求項２】
矩形状の底面と、該底面のそれぞれの外周縁から起立し、不透明材料からなる不透明シート体によりなり、複数箇所に通気用メッシュ部が形成された側壁面と、メッシュ状シート体からなり、前記側壁面のそれぞれの上端縁位置から所要高さ範囲を被覆して前記底面および前記側壁面と共に閉塞空間を形成する上側被覆部と、互いに向かい合う位置における前記側壁面に沿ってそれぞれ起立する起立部と前記上側被覆部に沿って配設された湾曲部を有する骨組体と、前記上側被覆部に取り付けられ、前記湾曲部に前記上側被覆部を吊り下げ保持させるための吊り下げ係合体と、を具備するテントの前記上側被覆部に着脱可能であって、
防滴素材からなり、前記上側被覆部の頂点部分から前記側壁面のそれぞれに向けて広がると共に前記側壁面と所要幅で重複する大きさの傘状体をなし、前記傘状体の下端縁部の角部にそれぞれ母線方向に切込を入れたことにより形成された舌片を有すると共に前記吊り下げ係合体の配設位置に位置合わせしてスリットが形成されていることを特徴とするテント用飛沫感染防止シート。
【請求項３】
矩形状の底面と、該底面のそれぞれの外周縁から起立し、不透明材料からなる不透明シート体によりなり、複数箇所に通気用メッシュ部が形成された側壁面と、メッシュ状シート体からなり、前記側壁面のそれぞれの上端縁位置から所要高さ範囲を被覆して前記底面および前記側壁面と共に閉塞空間を形成する上側被覆部と、互いに向かい合う位置における前記側壁面に沿ってそれぞれ起立する起立部と前記上側被覆部に沿って配設された湾曲部を有する骨組体と、前記上側被覆部に取り付けられ、前記湾曲部に前記上側被覆部を吊り下げ保持させるための吊り下げ係合体と、を具備するテントの前記上側被覆部に着脱可能であって、
防滴素材からなり、前記上側被覆部における前記メッシュ状シート体の露出面よりも広い範囲を被覆可能な大きさの四角錐台形状の筒状体をなし、前記筒状体の上端縁部の角部および下端縁部の角部にそれぞれ母線方向に切込を入れたことにより形成された舌片を有すると共に前記吊り下げ係合体の配設位置に位置合わせしてスリットが形成されていることを特徴とするテント用飛沫感染防止シート。
【発明の詳細な説明】
【技術分野】
【０００１】
本発明は飛沫感染防止テントおよびテント用飛沫感染防止シートに関し、より詳細には、災害時等の避難所において避難者どうしの飛沫感染を防止することが可能な飛沫感染防止テントおよびテント用飛沫感染防止シートに関する。
【背景技術】
【０００２】
地震や豪雨等の災害が発生した時には、災害発生地域における公共の建物が避難所になることが多い。このような避難所に避難してきた住民（避難者）は、公共の建物内の空間に屋内用テントを配設することによりパーソナルスペースを確保する方法が採用されている。このような屋内用テントとしては、特許文献１（特開２０１９−２１０６５９号公報）に開示されているような構成のものが知られている。
【先行技術文献】
【特許文献】
【０００３】
【特許文献１】特開２０１９−２１０６５９号公報
【発明の概要】
【発明が解決しようとする課題】
【０００４】
特許文献１には、通気性を確保しながらも、必要に応じてプライバシーを確保することが可能なパーソナルスペースを提供することができる。具体的には通気用のメッシュ状シートに目隠し用シートを装着するのであるが、テント内の通気を確保するためにメッシュ状シートの上側部分に目隠し用シートがかからないようにしている。このため、感染症に罹患している避難者がいる場合、他の避難者が飛沫感染してしまうリスクがあるといった課題がある。
【課題を解決するための手段】
【０００５】
そこで本発明は上記課題を解決すべくなされたものであり、その目的とするところは、災害時等の避難所において避難者どうしの飛沫感染を防止することが可能な飛沫感染防止テントおよびテント用飛沫感染防止シートを提供することにある。
【０００６】
上記課題を解決するために本発明者が鋭意研究した結果、以下の構成に想到した。すなわち本発明は、矩形状の底面と、該底面のそれぞれの外周縁から起立し、不透明材料からなる不透明シート体によりなり、複数箇所に通気用メッシュ部が形成された側壁面と、メッシュ状シート体からなり、前記側壁面のそれぞれの上端縁位置から所要高さ範囲を被覆して前記底面および前記側壁面と共に閉塞空間を形成する上側被覆部と、互いに向かい合う位置における前記側壁面に沿ってそれぞれ起立する起立部と前記上側被覆部に沿って配設された湾曲部を有する骨組体と、前記上側被覆部に取り付けられ、前記湾曲部に前記上側被覆部を吊り下げ保持させるための吊り下げ係合体と、を具備し、防滴素材からなり、前記上側被覆部の頂点部分から前記側壁面のそれぞれに向けて広がると共に前記側壁面と所要幅で重複する大きさの傘状体をなし、前記傘状体の下端縁部の角部にそれぞれ母線方向に切込を入れたことにより形成された舌片を有すると共に前記吊り下げ係合体の配設位置に位置合わせしてスリットが形成された飛沫感染防止シートが着脱可能であることを特徴とする飛沫感染防止テントである。
【０００７】
また、本発明は、矩形状の底面と、該底面のそれぞれの外周縁から起立し、不透明材料からなる不透明シート体によりなり、複数箇所に通気用メッシュ部が形成された側壁面と、メッシュ状シート体からなり、前記側壁面のそれぞれの上端縁位置から所要高さ範囲を被覆して前記底面および前記側壁面と共に閉塞空間を形成する上側被覆部と、互いに向かい合う位置における前記側壁面に沿ってそれぞれ起立する起立部と前記上側被覆部に沿って配設された湾曲部を有する骨組体と、前記上側被覆部に取り付けられ、前記湾曲部に前記上側被覆部を吊り下げ保持させるための吊り下げ係合体と、を具備するテントの前記上側被覆部に着脱可能であって、防滴素材からなり、前記上側被覆部の頂点部分から前記側壁面のそれぞれに向けて広がると共に前記側壁面と所要幅で重複する大きさの傘状体をなし、前記傘状体の下端縁部の角部にそれぞれ母線方向に切込を入れたことにより形成された舌片を有すると共に前記吊り下げ係合体の配設位置に位置合わせしてスリットが形成されていることを特徴とするテント用飛沫感染防止シートである。
【０００８】
さらに、本発明は、矩形状の底面と、該底面のそれぞれの外周縁から起立し、不透明材料からなる不透明シート体によりなり、複数箇所に通気用メッシュ部が形成された側壁面と、メッシュ状シート体からなり、前記側壁面のそれぞれの上端縁位置から所要高さ範囲を被覆して前記底面および前記側壁面と共に閉塞空間を形成する上側被覆部と、互いに向かい合う位置における前記側壁面に沿ってそれぞれ起立する起立部と前記上側被覆部に沿って配設された湾曲部を有する骨組体と、前記上側被覆部に取り付けられ、前記湾曲部に前記上側被覆部を吊り下げ保持させるための吊り下げ係合体と、を具備するテントの前記上側被覆部に着脱可能であって、防滴素材からなり、前記上側被覆部における前記メッシュ状シート体の露出面よりも広い範囲を被覆可能な大きさの四角錐台形状の筒状体をなし、前記筒状体の上端縁部の角部および下端縁部の角部にそれぞれ母線方向に切込を入れたことにより形成された舌片を有すると共に前記吊り下げ係合体の配設位置に位置合わせしてスリットが形成されていることを特徴とするテント用飛沫感染防止シートである。
【０００９】
これら発明により、テントの上側被覆部を被覆することができるため、災害時等の避難所において避難者どうしの飛沫感染を防止することが可能になる。また、テント用飛沫感染防止シートの少なくとも下端縁部の角部には母線方向の切込により形成された舌片があるため、汚染された部分に触れることなくテント用飛沫感染防止シートの交換や処分を行うことができる。
【発明の効果】
【００１０】
本発明における飛沫感染防止テントおよびテント用飛沫感染防止シートの構成を採用することにより、避難所のテントにおける避難者のプライバシーを確保することはもちろんのこと、避難所に感染症の罹患者がいる場合であっても罹患者の飛沫による感染を確実に防ぐことができる。
【図面の簡単な説明】
【００１１】
【図１】テント用飛沫感染防止シート装着前のテントを示す斜視図である。
【図２】図１に示すテントに第１実施形態における飛沫感染防止シートを装着した状態を示す斜視図である。
【図３】吊り下げ係合体を骨組体の湾曲部に係合させた状態を示す斜視図である。
【図４】骨組体における起立部と湾曲部の連結詳細図である。
【図５】湾曲部の構造を示す説明図である。
【図６】スリット部分の詳細説明図である。
【図７】図１に示すテントに第２実施形態における飛沫感染防止シートを装着した状態を示す斜視図である。
【図８】フラップによる通気用メッシュ部を開閉した状態を示す説明図である。
【発明を実施するための形態】
【００１２】
以下、本発明にかかるテント用飛沫感染防止シートを装着した飛沫感染防止テントの実施形態について、図面に基づいて具体的に説明する。以下に説明する実施形態においては、災害発生地域の避難所として指定されている学校の体育館に本発明にかかるテント用飛沫感染防止シートとしての飛沫感染防止シート７０を装着した飛沫感染防止テント１０を設置し、避難者の生活空間として用いる形態に基づいて説明を行うものとする。
【００１３】
（第１実施形態）
本実施形態における飛沫感染防止テント１０は、図１および図２に示すように、設置面となる矩形状の底面２０、底面２０のそれぞれの外周縁から起立する側壁面３０、側壁面３０の上端縁位置から所要高さ範囲を被覆する上側被覆部４０、側壁面３０に沿って起立すると共に上側被覆部４０に沿って配設された骨組体５０、吊り下げ係合体６０および飛沫感染防止シート７０を有している。
【００１４】
底面２０と側壁面３０はいずれもシート材により形成されている。ここでは不透明材料からなるシート材が用いられる。側壁面３０の高さ寸法は特に限定されるものではないが、飛沫感染防止テント１０で生活をする避難者のプライバシーの確保と、避難所の管理者による避難者の安否確認の両立を可能にする高さ寸法が好ましい。本実施形態の側壁面３０の高さは１．３５メートルとしているが、飛沫感染防止テント１０の設置において不都合にならない範囲で高さを適宜決定すればよい。
【００１５】
また、側壁面３０には、底面２０の角位置に対応する位置に側壁面３０の起立方向に沿って袋体部３２が形成されている。この袋体部３２には後述する骨組体５０の一部である起立部５２を差し込むことで起立部５２を側壁面３０に沿って起立させた状態で保持することができる。袋体部３２は摩擦に対する耐久性が良好な材料が好適に用いられるが、本実施形態においては側壁面３０と同一の材料が用いられている。この際、袋体部３２部分に用いるシート材を複数重ねた構成にしておけば、袋体部３２における摩擦耐久性を向上させることが可能である。
【００１６】
また、側壁面３０のうち少なくとも一面には、飛沫感染防止テント１０の出入口となる開閉部３４が形成されている。本実施形態の開閉部３４は側壁面３０の高さ方向の全域にわたって形成されている。具体的には開閉部３４の下端位置を底面２０の高さ位置とした縦線３４Ａと、縦線３４Ａの下端部から水平方向に延びる横線３４Ｂとにより側壁面３０に形成した正面視倒コの字型の切り込み線によりなっている。横線３４Ｂの長さは車いすに乗ったままの状態で飛沫感染防止テント１０に出入りができるように１メートル以上にすることが好ましい。図１および図２に示すように、開閉部３４の縦線３４Ａと横線３４Ｂに沿って必要に応じて面ファスナ３６を取り付けてもよい。さらに図１および図２に示すように開閉部３４の不透明シート体を巻き上げた状態を維持することができるように側壁面３０と巻き上げ部分にはそれぞれ巻き上げ状態維持手段（図示せず）を配設してくこともできる。
【００１７】
さらに本実施形態においては、開閉部３４が形成された側壁面３０に隣接する２つの側壁面３０には、底面２０からの起立部分を開口端部の一部とする長方形範囲に通気用メッシュ部３８が形成されている。通気用メッシュ部３８は開閉部３４が形成された側壁面３０に向かい合う位置の側壁面３０にも形成されている。本実施形態において開閉部３４が形成された側壁面３０に隣接する２つの側壁面３０に形成された複数箇所の通気用メッシュ部３８は、飛沫感染防止テント１０（底面２０）を平面視した際に底面２０の中央点に対して点対称となる位置であって、前記底面の端辺方向における形成範囲が非重複状態で配設されている。このような通気用メッシュ部３８により、一直線状に連続的に飛沫感染防止テント１０が配設された避難所であっても、避難者が底面２０に寝ころんだ際に隣の飛沫感染防止テント１０の避難者とのプライバシーを維持した状態で通気を行うことができる。
【００１８】
上側被覆部４０は、メッシュ状シート体４１からなり側壁面３０の上端縁位置から所要高さ範囲を被覆して底面２０および側壁面３０と共に閉塞空間（生活空間）を形成している。ここでは上側被覆部４０の頂部高さ位置を底面２０から１．８メートル以上にしている。このような高さにすることで、成人男性が飛沫感染防止テント１０内で立ち上がることができる。本実施形態においては、上側被覆部４０の頂点部分を含む所要範囲に照明隠し部４２をメッシュ状シート体４１に重ねて配設している。このように本実施形態における上側被覆部４０はメッシュ状シート体４１と照明隠し部４２により構成されている。本実施形態においてはこの照明隠し部４２として側壁面３０に用いた不透明シート体を使用している。このように上側被覆部４０の頂点部分を含む所要高さ範囲に照明隠し部４２を設けることで、就寝時に避難所の照明が眩しくなる不具合を防止することができる。照明隠し部４２が重複配設されていないメッシュ状シート体４１の露出部分は主要通気部分や安否確認手段として機能する。
【００１９】
上側被覆部４０には袋体部３２に差し込まれた骨組体５０の起立部５２に連結される同じく骨組体５０の一部である湾曲部５４に上側被覆部４０を吊り下げ保持させるための吊り下げ係合体６０が取り付けられている。図３に示すように吊り下げ係合体６０は、湾曲部５４に着脱可能に形成されたフック部６２と上側被覆部４０に縫製により装着された帯状体６４を有しており、帯状体６４を介してフック部６２が上側被覆部４０に取り付けられている。
【００２０】
本実施形態における骨組体５０は、上述したように互いに向かい合う側壁面３０の端縁に沿って形成された袋体部３２に差し込まれ、それぞれの側壁面３０に沿って起立する起立部５２と、それぞれの起立部５２に連結され、上側被覆部４０に沿って湾曲する湾曲部５４を有している（図１および図２参照）。図４に示すように、起立部５２の上端部には屈曲部５２Ａが形成されており、屈曲部５２Ａに湾曲部５４の両端部を差し込むことで起立部５２と湾曲部５４を一体化することができる。起立部５２の長さ寸法は、起立部５２の直線部分を袋体部３２に挿入保持させた状態、かつ、起立部５２の下端部を底面２０に当接させた状態において、屈曲部５２Ａのみが袋体部３２の上端部から突出させることができる長さに調整されている。
【００２１】
袋体部３２の上端部から突出した屈曲部５２Ａに連結される湾曲部５４は、図５に示すように複数本の筒体５４Ａとそれぞれの筒体５４Ａ内の長さ方向に挿通され、長さ方向に隣接する筒体５４Ａどうし連結するための弾性連結材５４Ｂを有している。ここでは弾性連結材５４Ｂとしてゴムひもを用いた。このゴムひもは、湾曲部５４の両端部における筒体５４Ａ位置において長さ調整が可能な状態で筒体５４Ａに固定されている。本実施形態においては湾曲部５４の両端部の筒体５４Ａの外側端面にゴムひものストッパ（図示せず）を配設した。
【００２２】
このような湾曲部５４の構成を採用することにより、飛沫感染防止テント１０の設営時には、湾曲部５４のゴムひもの長さを短くして、ゴムひもの付勢力により互いの筒体５４Ａどうしを緊密に連結させることができる。また、飛沫感染防止テント１０の不使用時においては、ストッパを開放することによりゴムひもの長さを伸ばして、筒体５４Ａどうしの連結をする張力を開放し、筒体５４Ａどうしを分離させることで湾曲部５４をコンパクトにすることができる。収納にかさばりがちである湾曲部５４をコンパクトにすることができ好都合である。
【００２３】
湾曲部５４は底面２０の対角線位置における袋体部３２に配設された起立部５２の屈曲部５２Ａどうしを掛け渡すようにして設置される。湾曲部５４は、上側被覆部４０に配設した吊り下げ係合体６０のそれぞれに挿通されており、上側被覆部４０を所要間隔で吊持している。このような湾曲部５４を配設することにより、起立部５２が収容された袋体部３２（側壁面３０）に対して底面２０の対角線上における外側方向に押し出す力を作用させることができる。これにより、底面２０の面内に引っ張り力を作用させ、飛沫感染防止テント１０として使用する際には底面２０を最大面積になるようにすると共に、側壁面３０を底面２０に対して直立させ、上側被覆部４０を上方に向けて凸状をなす湾曲面に形成することができる。
【００２４】
本実施形態における上側被覆部４０の主要通気部分であるメッシュ状シート体４１の露出部分には、図３に示すように飛沫感染防止シート７０の装着が可能である。避難所においては避難者が密集し易く、感染症に罹患している避難者がいる場合、感染者のクラスターが形成されるおそれがある。そのようなおそれがある避難所においては、メッシュ状シート体４１の露出面を被覆するための飛沫感染防止シート７０の装着が推奨される。
【００２５】
本実施形態における飛沫感染防止シート７０は、防滴素材からなり、上側被覆部４０においてメッシュ状シート体４１の露出面よりも広い範囲を被覆可能な大きさに形成されている。本実施形態においては、上側被覆部４０の頂点部分から四方の側壁面３０に向けて広がると共に下端縁部７２の高さ位置がそれぞれの側壁面３０に所要幅で重複する大きさの傘状体に形成されたものを用いている。このような大きさに形成された飛沫感染防止シート７０には、吊り下げ係合体６０の配設位置に位置合わせして飛沫感染防止テント１０の頂点側から側壁面３０に向かってスリット７４が形成されており、スリット７４の拡大防止用端部処理がなされている。また、飛沫感染防止シート７０の下端縁部７２の角部にはそれぞれ母線方向に切込を入れたことにより舌片７８が形成されている。
【００２６】
このようにして形成されたスリット７４は、スリット７４の形成部分を被覆するように飛沫感染防止シート７０と同素材のシート体からなるスリット被覆体７６を縫製等により装着しておくことが好ましい。スリット被覆体７６は、図６に示すようにスリット７４の右側に開口させた状態で飛沫感染防止シート７０に装着され、スリット被覆体７６の開口端部に沿って所要間隔をあけて切込線７７を設けておくこともできる。切込線７７は少なくともスリット７４が形成されている長さ範囲に配設されていればよい。このようなスリット被覆体７６とすることで、吊り下げ係合体６０がスリット７４およびスリット被覆体７６を挿通する際における隙間をなくすことができ、生活空間への飛沫侵入を防止できる点で好ましい。なおスリット被覆体７６はスリット７４の左側や下側を開口させることもできる。
【００２７】
このようにして形成された飛沫感染防止シート７０は、図１に示す状態から上側被覆部４０に装着された吊り下げ係合体６０を湾曲部５４から取り外し、湾曲部５４と上側被覆部４０との間に飛沫感染防止シート７０を敷設する。そしてスリット７４に吊り下げ係合体６０を挿通させて湾曲部５４へ再係合することにより、上側被覆部４０を湾曲部５４に吊り下げ保持させることができ、図２に示すように上側被覆部４０を被覆した飛沫感染防止シート７０が吊り下げ係合体６０により抜け止めされた状態にすることができる。これにより、飛沫感染防止テント１０の周辺を避難者が通過しても飛沫感染防止シート７０がめくり上がってしまうことがない。必要に応じて図に示すように飛沫感染防止シート７０の下端縁部７２と側壁面３０に対となるように面ファスナ８０を取り付けておけば、より確実に飛沫感染防止シート７０による上側被覆部４０の主要通気部の被覆をすることができる。
【００２８】
（第２実施形態）
図７は、図１に示すテントに第２実施形態における飛沫感染防止シートを装着した状態を示す斜視図である。本実施形態における飛沫感染防止テント１０において第１実施形態における飛沫感染防止テント１０と共通する構成については、第１実施形態で用いた符号を図７中に付すことにより、ここでの詳細な説明を省略している。
【００２９】
本実施形態における飛沫感染防止シート７０は、防滴素材からなると共に四角錐台形状の筒状体に形成されている。飛沫感染防止シート７０の上端縁部７１の角部と下端縁部７２の角部にはそれぞれ母線方向に切込を入れたことにより舌片７８が形成されている。この舌片７８により吊り下げ係合体６０および側壁面３０の角部で骨組体５０の屈曲部５２Ａと起立部５２を回避した状態で飛沫感染防止シート７０が上側被覆部４０および側壁面３０に密着し、メッシュ状シート体４１と照明隠し部４２および側壁面３０との境界部分も確実に被覆することができる。また、飛沫感染防止シート７０を取り外しする際には、舌片７８の内側面の部分がつまみ易くなり、飛沫感染防止シート７０の外側表面に触れることなく飛沫感染防止シート７０の交換や処分を行うことができる。
【００３０】
また、本実施形態における飛沫感染防止テント１０においては、頂部に飛沫感染防止シート係止具９０が配設されており、飛沫感染防止シート７０の正面および左右側面における側壁面３０との重複部分には貫通孔７９が形成されている。本実施形態における飛沫感染防止シート係止具９０は、飛沫感染防止テント１０の頂部に配設されるリング状の保持部９２と保持部９２に連結された保持紐９４および係止フック９６を有している。メッシュ状シート体４１の外表面に装着した状態の飛沫感染防止シート７０の下側部分を飛沫感染防止テント１０の頂部に向けてめくりあげ、係止フック９６を貫通孔７９に係止させれば、飛沫感染防止シート７０をめくりあげた状態を維持することが可能である。これにより必要に応じてメッシュ状シート体４１の露出と被覆を容易に切り替えることができる。
【００３１】
以上に実施形態に基づいて本発明にかかる飛沫感染防止テント１０および飛沫感染防止シート７０について具体的に説明をしたが、本発明にかかる飛沫感染防止テント１０および飛沫感染防止シート７０は以上の実施形態に限定されるものではなく、発明の要旨を変更しない範囲で各構成を適宜変更した実施形態を採用することも可能である。たとえば、以上の実施形態においては、飛沫感染防止テント１０について具体的な寸法や形状について言及しているが、これらの寸法や形状に限定されるものではない。すなわち底面２０の一辺の長さは２メートルに限定されるものではなく、また、底面２０は正方形に限定されるものではない。床面積が限られている避難所においては飛沫感染防止テント１０の設置平面形状（底面２０の平面形状）は矩形状であればよく、底面２０の平面形状は長方形形状であってもよい。
【００３２】
また、本実施形態における飛沫感染防止シート７０は、上側被覆部４０の頂点から四方の側壁面３０に向けて延びる傘状体および四角錐台状の筒状体に形成された、いわゆる一枚物の形態を示しているが、それぞれの側壁面３０から照明隠し部４２までの範囲における主要通気部分を被覆する複数枚の飛沫感染防止シート７０を装着する形態を採用することもできる。そして飛沫感染防止シート７０に形成するスリット７４は飛沫感染防止テント１０の頂点部分から側壁面３０に向けて形成されている形態に限定されず、任意の向きに形成することもできる。
【００３３】
また、以上に説明した実施形態においては、骨組体５０として起立部５２と起立部５２に連結可能な湾曲部５４を有する構成とし、かつ、湾曲部５４を複数の筒体５４Ａおよび弾性連結材５４Ｂとしてのゴムひもによって構成しているが、湾曲部５４を一本もので形成した構成や、起立部５２と湾曲部５４とを一体にした骨組体５０とすることもできる。また、起立部５２と湾曲部５４とを一体にし、飛沫感染防止テント１０の頂点部分で２分割してなる骨組体５０の構成を採用することもできる。さらには、起立部５２を起立方向において複数の筒体５４Ａに分割し、それぞれの筒体５４Ａの長手方向に弾性連結材５４Ｂを挿通させて連結した構成を採用することもできる。
【００３４】
また、第２実施形態においては飛沫感染防止シート係止具９０の具体的な構成について説明しているが、この形態に限定されるものではない。要は、飛沫感染防止シート７０の下側部分をめくりあげた状態を維持することができる構成であれば具体的な構成は特に限定されるものではない。飛沫感染防止シート７０の貫通孔７９もスリットに変更することもできる。
【００３５】
また、以上の実施形態においては、通気用メッシュ部３８が常時開口している形態について説明したが、この形態に限定されるものではない。図８に示すように、通気用メッシュ部３８を開閉可能に覆うフラップ３９を配設した形態にすることもできる。フラップ３９は、通気用メッシュ部３８覆う被覆体３９Ａと面ファスナ３９Ｂにより構成され、被覆体３９Ａの下側端縁を側壁面３０に縫製等により取り付け、被覆体３９Ａの上端縁に沿って面ファスナ３９Ｂを取り付け、被覆体３９Ａに取り付けた面ファスナ３９Ｂの位置に対応する側壁面３０の位置に対となる面ファスナ３９Ｂを取り付けておけばよい。これにより面ファスナ３９Ｂの係合による被覆体３９Ａによる通気用メッシュ部３８の被覆を解除すれば、図８（Ａ）に示すように重力の作用により被覆体３９Ａが通気用メッシュ部３８の被覆を解除し、通気用メッシュ部３８による通気を行うことができる。
【００３６】
そして、通気用メッシュ部３８による通気を抑制したい場合には図８（Ａ）中の矢印の方向に被覆体３９Ａを持ち上げて、面ファスナ３９Ｂどうしを係合させて図８（Ｂ）に示す状態にすればよい。このようなフラップ３９を配設することにより、使用者の意思により通気用メッシュ部３８による通気状態と閉塞状態の切り替えを行うことができ、飛沫感染防止テント１０の使い勝手を向上させることができる。
【００３７】
さらには、以上に説明した実施形態および各実施形態で説明した変形例を適宜組み合わせた形態を採用することもできる。
【符号の説明】
【００３８】
１０  飛沫感染防止テント
２０  底面
３０  側壁面
３２  袋体部
３４  開閉部
３４Ａ  縦線
３４Ｂ  横線
３６  面ファスナ
３８  通気用メッシュ部
３９  フラップ
３９Ａ  被覆体
３９Ｂ  面ファスナ
４０  上側被覆部
４１  メッシュ状シート体
４２  照明隠し部
５０  骨組体
５２  起立部
５２Ａ  屈曲部
５４  湾曲部
５４Ａ  筒体
５４Ｂ  弾性連結材
６０  吊り下げ係合体
６２  フック部
６４  帯状体
７０  飛沫感染防止シート
７１  上端縁部
７２  下端縁部
７４  スリット
７６  スリット被覆体
７７  切込線
７８  舌片
７９  貫通孔
８０  面ファスナ
９０  飛沫感染防止シート係止具
９２  保持部
９４  保持紐
９６  係止フック
【要約】
【課題】災害時等の避難所において避難者どうしの飛沫感染を防止することが可能なテントを提供すること。
【解決手段】矩形状の底面２０、底面２０の外周縁から起立し通気用メッシュ部３８を有する側壁面３０、メッシュ状シート体４１により形成され側壁面３０の上端から所要高さ範囲を覆う上側被覆部４０、起立部５２と湾曲部５４を有する骨組体５０、上側被覆部４０に取り付けられた吊り下げ係合体６０を具備し、防滴素材からなり上側被覆部４０の頂点部分から側壁面３０のそれぞれに向けて広がり下端縁部７２が側壁面３０と所要幅で重複する大きさの傘状体をなし、下端縁部７２の角部に母線方向に切込により形成された舌片７８を有すると共に吊り下げ係合体６０の配設位置に位置合わせしてスリット７４が形成された飛沫感染防止シート７０が上側被覆部４０に着脱可能であることを特徴とする飛沫感染防止テント１０である。
【選択図】図２【図１】
0006941909.tif 000002
【図２】
0006941909.tif 000003
【図３】
0006941909.tif 000004
【図４】
0006941909.tif 000005
【図５】
0006941909.tif 000006
【図６】
0006941909.tif 000007
【図７】
0006941909.tif 000008
【図８】
0006941909.tif 000009